【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
熱現像感光のフィルムを、１枚宛て分離して、搬送するフィルム搬送手段と、
予め定められたテスト用露光信号又は診断用画像信号に基づいて前記フィルム上に潜像を形成する露光手段と、
前記潜像形成されたフィルムを熱現像して可視化する熱現像手段と、
前記熱現像された可視像の濃度を測定する濃度測定手段と、
前記フィルム搬送手段、前記露光手段、前記熱現像手段及び前記濃度測定手段を制御する制御手段と、を有する医用画像記録装置において、
前記テスト用露光信号は、フィルムの搬送方向の先端部及び／又は後端部の濃度特性検出用の信号部を含み、
前記露光手段は、前記テスト用露光信号に基づいてフィルム上に潜像を形成し、
前記熱現像手段は、当該潜像を可視化してフィルムの搬送方向の先端部及び／又は後端部の濃度特性検出用のパターンを形成し、
前記濃度測定手段は、前記濃度特性検出用のパターンの濃度を測定し、
前記制御手段は、前記濃度測定の結果に基づいて、診断用画像信号の記録時の、フィルムの搬送方向の先端部及び／又は後端部の濃度特性を補正することを特徴とする医用画像記録装置。
【請求項２】
熱現像感光のフィルムを、１枚宛て分離して、搬送するフィルム搬送手段と、
予め定められたテスト用露光信号又は診断用画像信号に基づいて前記フィルム上に潜像を形成する露光手段と、
前記潜像形成されたフィルムを熱現像して可視化する熱現像手段と、
前記熱現像された可視像の濃度を測定する濃度測定手段と、
前記フィルム搬送手段、前記露光手段、前記熱現像手段及び前記濃度測定手段を制御する制御手段と、を有する医用画像記録装置において、
前記テスト用露光信号は、階調特性検出用のパターンを生成する第１信号部と、フィルムの先端部及び／又は後端部の濃度特性検出用の第２信号部と、を含み、
前記露光手段は、前記テスト用露光信号に基づいてフィルム上に潜像を形成し、
前記熱現像手段は、当該潜像を形成されたフィルムを可視化し、
前記濃度測定手段は、当該テスト用露光信号で画像形成されたフィルムの濃度を測定し、
前記制御手段は、前記濃度測定の結果に基づいて、診断用画像信号の記録時の、階調特性と、フィルムの先端部及び／又は後端部の濃度特性と、を補正することを特徴とする医用画像記録装置。
【請求項３】
前記テスト用露光信号は、階調特性測定用の複数のステップウェッジ部と、
フィルムの先端部及び／又は後端部の濃度変動測定用の所定濃度部とを有することを特徴とする請求項１又は２に記載の医用画像記録装置。
【請求項４】
前記ステップウェッジ部は、前記フィルムの先端部及び／又は後端部の濃度変動測定用の所定濃度部と同一濃度部を有することを特徴とする請求項３に記載の医用画像記録装置。
【請求項５】
前記制御手段は、前記濃度測定の結果に基づいて、階調特性補正用のルックアップテーブルを作成し、当該ルックアップテーブルに基づいて、前記フィルムの先端部及び／又は後端部の濃度特性の補正露光量を算出することを特徴とする請求項１から４のいずれか一項に記載の医用画像記録装置。
【請求項６】
熱現像感光のフィルムを、１枚宛て分離して、搬送するフィルム搬送工程と、
予め定められたテスト用露光信号に基づいて前記フィルム上に潜像を形成する露光工程と、
前記潜像形成されたフィルムを熱現像して可視化する熱現像工程と、
前記熱現像された可視像の濃度を測定する濃度測定工程と、
前記濃度測定の結果に基づいて、診断用画像信号の記録時の濃度特性を補正する制御工程と、を含む医用画像補正方法において、
前記テスト用露光信号は、フィルムの搬送方向の先端部及び／又は後端部の濃度特性検出用の信号部を含み、
前記露光工程において、前記テスト用露光信号に基づいてフィルム上に潜像を形成し、
前記熱現像工程において、当該潜像を可視化してフィルムの搬送方向の先端部及び／又は後端部の濃度特性検出用のパターンを形成し、
前記濃度測定工程において、前記濃度特性検出用のパターンの濃度を測定し、
前記制御工程において、前記濃度測定の結果に基づいて、診断用画像信号の記録時の、フィルムの搬送方向の先端部及び／又は後端部の濃度特性を補正することを特徴とする医用画像補正方法。
【請求項７】
熱現像感光のフィルムを、１枚宛て分離して、搬送するフィルム搬送工程と、
予め定められたテスト用露光信号に基づいて前記フィルム上に潜像を形成する露光工程と、
前記潜像形成されたフィルムを熱現像して可視化する熱現像工程と、
前記熱現像された可視像の濃度を測定する濃度測定工程と、
前記濃度測定の結果に基づいて、診断用画像信号の記録時の濃度特性を補正する制御工程と、を含む医用画像補正方法において、
前記テスト用露光信号は、階調特性検出用のパターンを生成する第１信号部と、フィルムの先端部及び／又は後端部の濃度特性検出用の第２信号部と、を含み、
前記露光工程において、前記テスト用露光信号に基づいてフィルム上に潜像を形成し、
前記熱現像工程において、当該潜像を形成されたフィルムを可視化し、
前記濃度測定工程において、当該テスト用露光信号で画像形成されたフィルムの濃度を測定し、
前記制御工程において、前記濃度測定の結果に基づいて、診断用画像信号の記録時の、階調特性と、フィルムの先端部及び／又は後端部の濃度特性と、を補正することを特徴とする医用画像補正方法。
【請求項８】
前記テスト用露光信号は、階調特性測定用の複数のステップウェッジ部と、
フィルムの先端部及び／又は後端部の濃度変動測定用の所定濃度部とを有することを特徴とする請求項６又は７に記載の医用画像補正方法。
【請求項９】
前記ステップウェッジ部は、前記フィルムの先端部及び／又は後端部の濃度変動測定用の所定濃度部と同一濃度部を有することを特徴とする請求項８に記載の医用画像補正方法。
【請求項１０】
前記制御工程において、前記濃度測定の結果に基づいて、階調特性補正用のルックアップテーブルを作成し、当該ルックアップテーブルに基づいて、前記フィルムの先端部及び／又は後端部の濃度特性の補正露光量を算出することを特徴とする請求項６から９のいずれか一項に記載の医用画像補正方法。
【請求項１１】
熱現像感光のフィルムに記録するための、予め定められたテスト用露光信号のデータが記録されたコンピュータ読み取り可能な記録媒体において、
前記テスト用露光信号は、階調特性検出用のパターンを生成する第１信号部と、フィルムの先端部及び／又は後端部の濃度特性検出用の第２信号部と、を含むことを特徴とする記録媒体。
【請求項１２】
前記テスト用露光信号は、階調特性測定用の複数のステップウェッジ部と、
フィルムの先端部及び／又は後端部の濃度変動測定用の所定濃度部とを有することを特徴とする請求項１１に記載の記録媒体。
【請求項１３】
前記ステップウェッジ部は、前記フィルムの先端部及び／又は後端部の濃度変動測定用の所定濃度部と同一濃度部を有することを特徴とする請求項１２に記載の記録媒体。
【手続補正２】
【補正対象書類名】明細書
【補正対象項目名】０００７
【補正方法】変更
【補正の内容】
【０００７】
上記の課題を解決するために、請求項１に記載の発明は、
熱現像感光のフィルムを、１枚宛て分離して、搬送するフィルム搬送手段と、
予め定められたテスト用露光信号又は診断用画像信号に基づいて前記フィルム上に潜像を形成する露光手段と、
前記潜像形成されたフィルムを熱現像して可視化する熱現像手段と、
前記熱現像された可視像の濃度を測定する濃度測定手段と、
前記フィルム搬送手段、前記露光手段、前記熱現像手段及び前記濃度測定手段を制御する制御手段と、を有する医用画像記録装置において、
前記テスト用露光信号は、フィルムの搬送方向の先端部及び／又は後端部の濃度特性検出用の信号部を含み、
前記露光手段は、前記テスト用露光信号に基づいてフィルム上に潜像を形成し、
前記熱現像手段は、当該潜像を可視化してフィルムの搬送方向の先端部及び／又は後端部の濃度特性検出用のパターンを形成し、
前記濃度測定手段は、前記濃度特性検出用のパターンの濃度を測定し、
前記制御手段は、前記濃度測定の結果に基づいて、診断用画像信号の記録時の、フィルムの搬送方向の先端部及び／又は後端部の濃度特性を補正することを特徴とする。
請求項２に記載の発明は、
熱現像感光のフィルムを、１枚宛て分離して、搬送するフィルム搬送手段と、
予め定められたテスト用露光信号又は診断用画像信号に基づいて前記フィルム上に潜像を形成する露光手段と、
前記潜像形成されたフィルムを熱現像して可視化する熱現像手段と、
前記熱現像された可視像の濃度を測定する濃度測定手段と、
前記フィルム搬送手段、前記露光手段、前記熱現像手段及び前記濃度測定手段を制御する制御手段と、を有する医用画像記録装置において、
前記テスト用露光信号は、階調特性検出用のパターンを生成する第１信号部と、フィルムの先端部及び／又は後端部の濃度特性検出用の第２信号部と、を含み、
前記露光手段は、前記テスト用露光信号に基づいてフィルム上に潜像を形成し、
前記熱現像手段は、当該潜像を形成されたフィルムを可視化し、
前記濃度測定手段は、当該テスト用露光信号で画像形成されたフィルムの濃度を測定し、
前記制御手段は、前記濃度測定の結果に基づいて、診断用画像信号の記録時の、階調特性と、フィルムの先端部及び／又は後端部の濃度特性と、を補正することを特徴とする。
【手続補正３】
【補正対象書類名】明細書
【補正対象項目名】０００８
【補正方法】変更
【補正の内容】
【０００８】
請求項３に記載の発明は、請求項１又は２に記載の医用画像記録装置において、
前記テスト用露光信号は、階調特性測定用の複数のステップウェッジ部と、
フィルムの先端部及び／又は後端部の濃度変動測定用の所定濃度部とを有することを特徴とする。
【手続補正４】
【補正対象書類名】明細書
【補正対象項目名】０００９
【補正方法】変更
【補正の内容】
【０００９】
請求項４に記載の発明は、請求項３に記載の医用画像記録装置において、
前記ステップウェッジ部は、前記フィルムの先端部及び／又は後端部の濃度変動測定用の所定濃度部と同一濃度部を有することを特徴とする。
【手続補正５】
【補正対象書類名】明細書
【補正対象項目名】００１０
【補正方法】変更
【補正の内容】
【００１０】
請求項５に記載の発明は、請求項１から４のいずれか一項に記載の医用画像記録装置において、
前記制御手段は、前記濃度測定の結果に基づいて、階調特性補正用のルックアップテーブルを作成し、当該ルックアップテーブルに基づいて、前記フィルムの先端部及び／又は後端部の濃度特性の補正露光量を算出することを特徴とする。
【手続補正６】
【補正対象書類名】明細書
【補正対象項目名】００１１
【補正方法】変更
【補正の内容】
【００１１】
請求項６に記載の発明は、
熱現像感光のフィルムを、１枚宛て分離して、搬送するフィルム搬送工程と、
予め定められたテスト用露光信号に基づいて前記フィルム上に潜像を形成する露光工程と、
前記潜像形成されたフィルムを熱現像して可視化する熱現像工程と、
前記熱現像された可視像の濃度を測定する濃度測定工程と、
前記濃度測定の結果に基づいて、診断用画像信号の記録時の濃度特性を補正する制御工程と、を含む医用画像補正方法において、
前記テスト用露光信号は、フィルムの搬送方向の先端部及び／又は後端部の濃度特性検出用の信号部を含み、
前記露光工程において、前記テスト用露光信号に基づいてフィルム上に潜像を形成し、
前記熱現像工程において、当該潜像を可視化してフィルムの搬送方向の先端部及び／又は後端部の濃度特性検出用のパターンを形成し、
前記濃度測定工程において、前記濃度特性検出用のパターンの濃度を測定し、
前記制御工程において、前記濃度測定の結果に基づいて、診断用画像信号の記録時の、フィルムの搬送方向の先端部及び／又は後端部の濃度特性を補正することを特徴とする。
請求項７に記載の発明は、
熱現像感光のフィルムを、１枚宛て分離して、搬送するフィルム搬送工程と、
予め定められたテスト用露光信号に基づいて前記フィルム上に潜像を形成する露光工程と、
前記潜像形成されたフィルムを熱現像して可視化する熱現像工程と、
前記熱現像された可視像の濃度を測定する濃度測定工程と、
前記濃度測定の結果に基づいて、診断用画像信号の記録時の濃度特性を補正する制御工程と、を含む医用画像補正方法において、
前記テスト用露光信号は、階調特性検出用のパターンを生成する第１信号部と、フィルムの先端部及び／又は後端部の濃度特性検出用の第２信号部と、を含み、
前記露光工程において、前記テスト用露光信号に基づいてフィルム上に潜像を形成し、
前記熱現像工程において、当該潜像を形成されたフィルムを可視化し、
前記濃度測定工程において、当該テスト用露光信号で画像形成されたフィルムの濃度を測定し、
前記制御工程において、前記濃度測定の結果に基づいて、診断用画像信号の記録時の、階調特性と、フィルムの先端部及び／又は後端部の濃度特性と、を補正することを特徴とする。
【手続補正７】
【補正対象書類名】明細書
【補正対象項目名】００１２
【補正方法】変更
【補正の内容】
【００１２】
請求項８に記載の発明は、請求項６又は７に記載の医用画像補正方法において、
前記テスト用露光信号は、階調特性測定用の複数のステップウェッジ部と、
フィルムの先端部及び／又は後端部の濃度変動測定用の所定濃度部とを有することを特徴とする。
【手続補正８】
【補正対象書類名】明細書
【補正対象項目名】００１３
【補正方法】変更
【補正の内容】
【００１３】
請求項９に記載の発明は、請求項８に記載の医用画像補正方法において、
前記ステップウェッジ部は、前記フィルムの先端部及び／又は後端部の濃度変動測定用の所定濃度部と同一濃度部を有することを特徴とする。
【手続補正９】
【補正対象書類名】明細書
【補正対象項目名】００１４
【補正方法】変更
【補正の内容】
【００１４】
請求項１０に記載の発明は、請求項６から９のいずれか一項に記載の医用画像補正方法において、
前記制御工程において、前記濃度測定の結果に基づいて、階調特性補正用のルックアップテーブルを作成し、当該ルックアップテーブルに基づいて、前記フィルムの先端部及び／又は後端部の濃度特性の補正露光量を算出することを特徴とする。
【手続補正１０】
【補正対象書類名】明細書
【補正対象項目名】００１５
【補正方法】変更
【補正の内容】
【００１５】
請求項１１に記載の発明は、
熱現像感光のフィルムに記録するための、予め定められたテスト用露光信号のデータが記録されたコンピュータ読み取り可能な記録媒体において、
前記テスト用露光信号は、階調特性検出用のパターンを生成する第１信号部と、フィルムの先端部及び／又は後端部の濃度特性検出用の第２信号部と、を含むことを特徴とする。
【手続補正１１】
【補正対象書類名】明細書
【補正対象項目名】００１６
【補正方法】変更
【補正の内容】
【００１６】
請求項１２に記載の発明は、請求項１１に記載の記録媒体において、
前記テスト用露光信号は、階調特性測定用の複数のステップウェッジ部と、
フィルムの先端部及び／又は後端部の濃度変動測定用の所定濃度部とを有することを特徴とする。
【手続補正１２】
【補正対象書類名】明細書
【補正対象項目名】００１７
【補正方法】変更
【補正の内容】
【００１７】
請求項１３に記載の発明は、請求項１２に記載の記録媒体において、
前記ステップウェッジ部は、前記フィルムの先端部及び／又は後端部の濃度変動測定用の所定濃度部と同一濃度部を有することを特徴とする。
【手続補正１３】
【補正対象書類名】明細書
【補正対象項目名】００１８
【補正方法】変更
【補正の内容】
【００１８】
請求項１又は６に記載の発明によれば、信号部を含むテスト用露光信号に基づいて、フィルムに露光及び熱現像して濃度測定し、その濃度測定の結果に基づいて、診断用画像信号の記録時の、フィルムの搬送方向の先端部及び／又は後端部の濃度特性を補正するので、診断用画像信号の記録時のフィルムの先端部及び／又は後端部の濃度を正確に補正できる。
請求項２、７又は１１に記載の発明によれば、第１信号部及び第２信号部を含むテスト用露光信号に基づいて、フィルムに露光及び熱現像して濃度測定し、その濃度測定の結果に基づいて、診断用画像信号の記録時の階調特性と、フィルムの先端部及び／又は後端部の濃度特性とを補正するので、熱現像感光のフィルムの、診断用画像信号の記録時の、階調特性の補正と、先端部及び／又は後端部の濃度補正とを一度に行うことができる。従って、補正に使用するフィルムは１枚のみとすることが可能となる。
【手続補正１４】
【補正対象書類名】明細書
【補正対象項目名】００１９
【補正方法】変更
【補正の内容】
【００１９】
請求項３、８又は１２に記載の発明によれば、階調特性測定用のステップウェッジ部により、診断用画像信号の記録時の階調特性を正確に補正でき、フィルムの先端部及び／又は後端部用の所定濃度部により、診断用画像信号の記録時のフィルムの先端部及び／又は後端部の濃度を正確に補正できる。
【手続補正１５】
【補正対象書類名】明細書
【補正対象項目名】００２０
【補正方法】変更
【補正の内容】
【００２０】
請求項４、９又は１３に記載の発明によれば、ステップウェッジ部が、ベタ部と同一濃度パターンを有するので、ステップウェッジ部中の同一濃度パターン部分の濃度測定結果に基づいて、あるべき姿（再現されるべき濃度）との差分（濃度補正量）を検出可能となり、画像記録時のフィルムの先端及び／又は後端の濃度を容易かつ正確に補正できる。
【手続補正１６】
【補正対象書類名】明細書
【補正対象項目名】００２１
【補正方法】変更
【補正の内容】
【００２１】
請求項５又は１０に記載の発明によれば、階調特性補正用のルックアップテーブルに基づいて、フィルムの先端部及び／又は後端部の濃度特性の補正露光量を算出するので、当該補正露光量に基づいて、診断用画像信号の記録時のフィルムの先端部及び／又は後端部の濃度を正確に補正できる。